(57)【特許請求の範囲】
【請求項１】
左右方向に延び、かつ、前後方向に互いに対向する少なくとも前後一対の針床を有し、この前後の針床間で編目の目移しが可能な横編機を用いて、筒状の編地本体と、この編地本体の筒内部に形成され、筒内部を複数の筒部に分割する少なくとも一つの仕切り編地部とを備える筒状編地を編成する方法であって、
編出し部分と仕切り本体部分で構成される仕切り編地部を編成するに当たり、
前記編地本体の編目を前後の針床の編針で係止しておいてから、
この編地本体を編成する編幅の範囲内に位置する前後の針床の空針を用いて、前後針床で交互に繋げて編出す編目とこれに続く新たな編目とを形成し、そのコース方向両端部のうちの少なくとも一方を前記編地本体に連結して、編出し部分を編成した後、
この編出し部分の編目に連続する新たな編目によって仕切り本体部分を編成することを特徴とする仕切りを有する筒状編地の編成方法。
【請求項２】
前記編出し部分は、その編出す編目に続く新たな編目をコース方向両端部で編糸を前後に繋げて袋状となるように編成している請求項１に記載の仕切りを有する筒状編地の編成方法。
【請求項３】
前記仕切り本体部分は、前記編出し部分の編目を前後一方から他方に重ねて前後単一の層で編成している請求項２に記載の仕切りを有する筒状編地の編成方法。
【請求項４】
前記仕切り編地部は、前記編地本体を編成する給糸口からの給糸とは別の新たな給糸口からの給糸により編成している請求項１〜請求項３のいずれか１つに記載の仕切りを有する筒状編地の編成方法。
【請求項５】
多数の編針を装着した針床を前後に対向して設けた横編機を使用して編成される筒状の編地本体と、この編地本体の筒内部に形成され、当該筒内部を複数の筒部に分割する少なくとも一つの仕切り編地部とを有し、
前記仕切り編地部は、
前側編地及び後側編地によって袋状に形成され、かつコース方向両端部のうちの少なくとも一方を前記編地本体に連結して編成された編出し部分と、
この編出し部分の編目に連続する新たな編目により形成された仕切り本体部分と、
によって構成されていることを特徴とする仕切りを有する筒状編地。
【発明の詳細な説明】
【技術分野】
【０００１】
本発明は、筒状の編地本体と、この編地本体の筒内部に形成され、筒内部を複数の筒部に分割する少なくとも一つの仕切り編地部とを備える筒状編地を横編機で編成する仕切りを有する筒状編地およびその編成方法に関する。
【背景技術】
【０００２】
従来より、左右方向に延び、かつ、前後方向に互いに対向する少なくとも前後一対の針床を有し、前後の針床間で編目の目移しが可能な横編機を用いて、筒状の編地本体と、この編地本体の筒内部に形成され、筒内部を複数の筒部に分割する少なくとも一つの仕切り編地部とを備える筒状編地を編成する方法として、下記の特許文献１に記載の方法がある。この方法は、一筆書きの要領で一つの給糸口により給糸しながら、前後の針床を用いて編地本体を筒状に編成するとともに、前後一方の針床を用いて仕切り編地部を編成している。
【０００３】
このように編成することで、例えば、カバンやバックなどを、その外装が編地本体で形成されるとともに、外装の内部を仕切り編地部で仕切ったデザインにすることが可能となる。また、手袋や靴下などを、その外装が編地本体で形成されるとともに、外装の内部を指毎に仕切り編地部で仕切って、外観は指袋部を有さない手袋や靴下でありながら内部を仕切ったデザインにすることが可能となる。
【先行技術文献】
【特許文献】
【０００４】
【特許文献１】特開２００７−１１３１５０号公報
【発明の概要】
【発明が解決しようとする課題】
【０００５】
ところが、前記従来のものでは、仕切り編地部の編出し部分を前後一方の針床の空針を用いて編成している。そのため、糸素材によっては、仕切り編地部の編出し部分が型崩れし易い場合がある。また、手袋や靴下では、仕切り編地部の端部が安定せず、手指や足指などが挿入しづらい場合もある。
【０００６】
本発明は、かかる点に鑑みてなされたものであり、その目的とするところは、編出し部分がしっかりとして型崩れしない仕切りを有する筒状編地及びその編成方法を提供することにある。
【課題を解決するための手段】
【０００７】
前記目的を達成するため、本発明では、仕切りを有する筒状編地の編成方法として、左右方向に延び、かつ、前後方向に互いに対向する少なくとも前後一対の針床を有し、この前後の針床間で編目の目移しが可能な横編機を用いて、筒状の編地本体と、この編地本体の筒内部に形成され、筒内部を複数の筒部に分割する少なくとも一つの仕切り編地部とを備える筒状編地を編成する方法を前提とする。そして、編出し部分と仕切り本体部分で構成される仕切り編地部を編成するに当たり、前記編地本体の編目を前後の針床の編針で係止しておいてから、この編地本体を編成する編幅の範囲内に位置する前後の針床の空針を用いて、前後針床で交互に繋げて編出す編目とこれに続く新たな編目とを形成し、そのコース方向両端部のうちの少なくとも一方を前記編地本体に連結して、編出し部分を編成した後、この編出し部分の編目に連続する新たな編目によって仕切り本体部分を編成する。
【０００８】
また、前記編出し部分は、その編出す編目に続く新たな編目をコース方向両端部で、編糸を前後に繋げて袋状となるように編成していてもよい。
【０００９】
また、前記仕切り本体部分は、前記前後針床に係止する編出し部分の編目を前後一方から他方に重ねて前後単一の層で編成していてもよい。
【００１０】
更に、前記仕切り編地部は、前記編地本体を編成する給糸口からの給糸とは別の新たな給糸口からの給糸により編成していてもよい。
【００１１】
また、前記目的を達成するため、本発明では、仕切りを有する筒状編地として、多数の編針を装着した針床を前後に対向して設けた横編機を使用して編成される筒状の編地本体と、この編地本体の筒内部に形成され、当該筒内部を複数の筒部に分割する少なくとも一つの仕切り編地部とを備える。そして、前記仕切り編地部を、前側編地及び後側編地によって袋状に形成され、かつコース方向両端部のうちの少なくとも一方を前記編地本体に連結して編成された編出し部分と、この編出し部分の編目に連続する新たな編目により形成された仕切り本体部分と、によって構成している。
【発明の効果】
【００１２】
本発明に係る仕切りを有する筒状編地の編成方法によれば、筒状編地を係止する前後の針床の空針を用いて、給糸口から給糸しながら、前後針床で交互に繋げて編出した編目に続く新たな編目を前後針床で形成して編出し部分を編成することで、編出し部分が前後に厚みのあるものとなる。これにより、編出し部分がしっかりとして型崩れしないものとなり、手袋や靴下では手指や足指などを挿入し易くすることができる。
【００１３】
また、編出し部分の編出す編目に続く新たな編目をコース方向両端部で編糸を前後に繋げて袋状に編成することで、編出し部分の編目が前後合わせて２層となって厚みが増し、編出し部分をよりしっかりとして型崩れしないものにできる。
【００１４】
また、編出し部分の最終コースの編目を前後一方から他方に重ねて仕切り本体部分を前後単一の層で編成することで、編出し部分をしっかりとして型崩れしないものにしつつ、これに連続する新たな編目によって編成される仕切り本体部分の厚みを薄くすることができる。これにより、手袋や靴下では手指や足指などを挿入した際の仕切り編地部による違和感を可及的に抑制することができる。
【００１５】
更に、編地本体を編成する給糸口とは別の給糸口により仕切り編地部を編成することで、編地本体と仕切り編地部とを異なる種類の編糸で編成することが可能となる。これにより、編地本体を防寒性に優れた編糸で編成しつつ、仕切り編地部を抗菌性に優れた編糸で編成するなどして、より消費者のニーズに応えることができる。
【００１６】
また、本発明に係る仕切りを有する筒状編地によれば、前後の針床に前後に繋がって編出した仕切り編地部のコース方向両端部のうちの少なくとも一方を編地本体に連結することで、編出し部分をしっかりとして型崩れしないものにでき、手袋や靴下では手指や足指などを挿入し易くした筒状編地を提供することができる。
【図面の簡単な説明】
【００１７】
【図１】本発明の実施の形態に係る１つの仕切り編地部と編地本体とを有する筒状編地の一部を切欠いた状態の斜視図である。
【図２】図１の仕切り編地部を編成する際の編出し部分の編成工程図である。
【図３】図１の仕切り編地部の編出し部分に連続する仕切り本体部分に傾斜部分を編成する際の仕切り本体部分および編地本体の編成工程図である。
【図４】図３の傾斜部分を有する仕切り本体部分に続く仕切り本体部分の編成工程図である。
【発明を実施するための形態】
【００１８】
次に、本発明の仕切りを有する筒状編地の好適な編成方法の実施の形態を図面と共に以下詳細に説明する。以下に示す実施の形態は、２枚ベッドの横編機を用いて筒状の編地本体を編成しながら仕切り編地部も編成し、編地本体に仕切り編地部を無縫製で連結していく。
【００１９】
図１は、編地本体２０の筒内側の中央部に一つの仕切り編地部３０が形成された筒状編地１０の一部を切欠いた状態の部分切欠き斜視図である。
仕切り編地部３０の編出し部分３１は、編地本体２０の前側編地部２１にコース方向一端のみを連結した状態で形成され、後側編地部２２側の他端では仕切り本体部分３２を徐々に増し目して編幅を増加し、編地本体２０の後側編地部２２に連結している。この連結により、仕切り編地部３０に傾斜部分が形成される。
【００２０】
本発明の好適な実施の形態の一つとして、筒状編地１０の編成方法を図２ないし図４に基づいて説明する。図２は、編地本体２０に仕切り編地部３０を編成する場合の編出し部分３１の編成工程図である。また、図３は、編出し部分３１の編成に続いて傾斜部分を編成する場合の仕切り本体部分３２および編地本体２０の編成工程図である。更に、図４は、図３の傾斜部分に続いて編成される仕切り本体部分３２の編成工程図である。
【００２１】
なお、図２ないし図４において、Ｓ＋数字は工程番号を示し、左右方向の矢印は給糸口（図中▽）の移動方向を示し、斜め方向の矢印は目移しの方向を示す。図中のＳ０、Ｓ１２、Ｓ２２に示す符号ａ〜ｃ´は前針床（以下ＦＢ）の編針であり、符号Ａ〜Ｃ´は後針床（以下ＢＢ）の編針であって、これらの符号をＳ１〜Ｓ１１、Ｓ１３〜Ｓ２１、Ｓ２３の編針に対応させている。また、図２ないし図４の編成工程図では、説明の便宜上、編成に使用される編針数は実際の編針数よりも少なくしている。更に、必要に応じて既に形成された編目については仮想線（二点鎖線）で示している。また、本実施の形態では、掛け目を編目と呼ぶ場合がある。
【００２２】
Ｓ０では、給糸口１を用い、紙面右方向に向けて１針置きに編針ｂ〜ｂ´を用いて、編地本体２０の前側編地部２１を編成し、編地本体２０の後側編地部２２を、左方向に向けて、編針Ｃ〜Ｃ´を用いて、編成する。このＳ０では、編地本体２０を仕切り編地部３０の編出し部分３１の直前まで編成した状態における編目を示しており、以降、仕切り編地部３０の編成工程を示す。
【００２３】
Ｓ１では、仕切り編地部３０を編成するに当たり、Ｓ０で編成した編地本体２０の編目をそのまま係止しておく。そして、給糸口２を用いて左方向に向け、ＦＢ，ＢＢの編針Ｖ，ｕ，Ｔ，ｓ，Ｒ，ｑ，Ｐ，ｏ，Ｎ，ｍ，Ｌ，ｋ，Ｊで、ＢＢとＦＢとで交互に繋げるように掛け目（図２に∨字で示す）を形成して前後に繋がる編出し部分３１の編成を開始する。この給糸口２からの給糸は、給糸口１からの給糸とは同色で別素材である。手袋や靴下では、給糸口１からの給糸により編地本体２０を防寒性に優れた編糸で編成しつつ、給糸口２からの給糸により仕切り編地部３０を抗菌性に優れた編糸で編成すれば、より消費者のニーズに応えることができる。なお、単一の給糸口から給糸される編糸により編地本体２０と仕切り編地部３０とが編成されてもよい。
【００２４】
Ｓ２では、給糸口２を用いて右方向に向け、ＦＢにおいて掛け目を形成した編針ｋ〜ｕのうち、編針ｋ，ｏ，ｓに係止する掛け目に続く新たな編目を形成する。また、ＢＢの編針Ｖに係止する掛け目に続く新たな編目を形成して、左側からＦＢに編成した編目を編出し部分３１の右端部の編目に接続しておく。
【００２５】
Ｓ３では、左方向にＦＢの編針ｕ，ｑ，ｍで新たな編目を形成する。また、ＢＢの編針Ｊで新たな編目を形成して、右側からＦＢに編成した編目を編出し部分３１の左端部の編目に接続しておく。
【００２６】
Ｓ２およびＳ３で給糸口２を左右に往復させて、ＦＢの編針ｋ，ｏ，ｓおよび編針ｕ，ｑ，ｍで編目を形成することで、２本の渡り糸によってしっかりとした編出し部分３１の前側編地を編成する。
【００２７】
Ｓ４では、ＢＢにおいて掛け目を形成した編針Ｊ，Ｌ，Ｎ，Ｐ，Ｒ，Ｔ，Ｖのうち、右方向に編針Ｌ，Ｐ，Ｔで新たな編目を１針置きに形成する。
【００２８】
Ｓ５では、ＢＢの編針Ｖ，Ｒ，Ｎ，Ｊで新たな編目を１針置きに形成する。
【００２９】
Ｓ４およびＳ５においても、給糸口２を左右に往復させて、ＢＢの編針Ｌ，Ｐ，Ｔおよび編針Ｖ，Ｒ，Ｎ，Ｊで編目を形成することで、しっかりとした編出し部分３１の後側編地を編成する。
【００３０】
Ｓ６では、Ｓ２と同様に、ＦＢの編針ｋ，ｏ，ｓで新たな編目を形成する。また、ＢＢの編針Ｖで新たな編目を形成して、左側からＦＢに編成した編目を編出し部分３１の右端部の編目に接続しておく。
【００３１】
Ｓ７では、ＢＢの編針Ｔ，Ｐ，Ｌ，Ｊで新たな編目を形成する。
【００３２】
このように、Ｓ２からＳ７を経ることにより、編地本体２０の筒内部に仕切り編地部３０の編出し部分３１がＦＢの編針ｋ〜ｕおよびＢＢの編針Ｊ〜Ｖを用いて袋状に編成される。
【００３３】
Ｓ８では、ＦＢの編針ｋ，ｍ，ｏ，ｑ，ｓ，ｕで新たな編目を形成するとともに、編地本体２０の編目となるＦＢの編針ｘにタックして、仕切り編地部３０の編出し部分３１のコース方向一端部（図２では右端部）を編地本体２０の前側編地部２１に連結する。
【００３４】
Ｓ９では、ＢＢの編針Ｖ，Ｔ，Ｒ，Ｐ，Ｎ，Ｌ，Ｊで新たな編目を形成する。
【００３５】
Ｓ１０では、ＦＢ，ＢＢの編針Ｊ，ｋ，Ｌ，ｍ，Ｎ，ｏ，Ｐ，ｑ，Ｒ，ｓ，Ｔ，ｕ，Ｖで新たな編目を前後のＦＢ，ＢＢで交互に繋がるリブ組織状に形成する。
【００３６】
Ｓ１からＳ１０を経ることで、編出し部分３１が前後２層で厚みのあるものとなる。このため、編出し部分３１がしっかりとして型崩れしないものとなり、手袋や靴下では手指や足指などを挿入し易くすることができる。また、カバンやバックなどでは仕切りをしっかりとして型崩れしないものにできる。
【００３７】
Ｓ１１では、ＦＢの編針ｋ，ｍ，ｏ，ｑ，ｓ，ｕに係止されている編目を、対向するＢＢの編針Ｊ，Ｌ，Ｎ，Ｐ，Ｒ，Ｔに目移しして重ね目（図２では二重丸で示す）とする。これにより、袋状に形成した前後２層の編出し部分３１を接合し、前後２層の編出し部分３１が単層の仕切り本体部分３２に切り替えられる。なお、重ね目を形成せずに仕切り本体部分が袋組織やリブ組織で形成されてもよく、この場合には、厚みのある仕切り編地部を編成できる。
【００３８】
図３のＳ１２では、左方向にＢＢの編針Ｖ〜Ｌまでの１本置きの編針で新たな編目を形成する。
【００３９】
Ｓ１３では、右方向にＢＢの編針Ｊ，Ｌ，Ｎ，Ｐ，Ｒ，Ｔ，Ｖで新たな編目を形成する。
【００４０】
Ｓ１２およびＳ１３を繰り返えせば、編出し部分３１に続く仕切り本体部分３２はＢＢの編針Ｊ〜Ｖを用いて単層のまま編成され、しっかりとした編出し部分３１に対して厚みは薄くなる。手袋や靴下では、手指や足指などを挿入しても仕切り編地部３０による違和感を可及的に抑制することができる。
【００４１】
Ｓ１４では、Ｓ１３の編成後に停止している給糸口２に対し、進行方向の手前となるＢＢの編針Ｖの位置まで、給糸口１を用い、ＦＢの編針ｂ〜ｖまでの１本置きの編針で新たな編目を形成する。
【００４２】
Ｓ１５では、Ｓ１３でＢＢの編針Ｖに編目を形成し終えてその付近に止まる給糸口２を、給糸口１と共に左方向に蹴り返す。
【００４３】
Ｓ１６では、ＦＢの編針ｘ，ｚ，ｂ´で、編地本体２０にあたる新たな編目を形成する。
【００４４】
このように、Ｓ１４〜Ｓ１６を経ることで、給糸口２を退避させ、編地本体２０の前側編地部２１がＦＢの編針ｂ，ｄ，ｆ，ｈ，ｊ，ｌ，ｎ，ｐ，ｓ，ｕ，ｗ，ｙ，ｂ´を用いて編成される。
【００４５】
Ｓ１７では、ＢＢの編針Ｊ，Ｌ，Ｎ，Ｐ，Ｒ，Ｔ，Ｖに係止されている仕切り本体部分３２の編目を、対向するＦＢの編針ｉ，ｋ，ｍ，ｏ，ｑ，ｓ，ｕに目移する。それから、Ｓ１５の編成後に停止している給糸口２に対し、進行方向の手前となるＢＢの編針Ｗの位置まで、給糸口１を用い、ＦＢの編針Ｃ´，Ａ´，Ｙ，Ｗで新たな編目を形成する。
【００４６】
Ｓ１８では、給糸口２を、給糸口１と共にＢＢの編針Ｕよりも右方向に蹴り返す。
【００４７】
Ｓ１９では、給糸口１を用い、ＢＢの編針Ｕ，Ｓ，Ｑ，Ｏ，Ｍ，Ｋ，Ｉ，Ｇ，Ｅ，Ｃで新たな編目を形成する。それから、ＦＢの編針ｉ，ｋ，ｍ，ｏ，ｑ，ｓ，ｕに係止されている編目を、対向するＢＢの編針Ｊ，Ｌ，Ｎ，Ｐ，Ｒ，Ｔ，Ｖに目移しする。
【００４８】
このように、Ｓ１７〜Ｓ１９を経ることで、給糸口２を退避させ、編地本体２０の後側編地部２２がＢＢの編針Ｃ，Ｅ，Ｇ，Ｉ，Ｋ，Ｍ，Ｏ，Ｑ，Ｓ，Ｕ，Ｗ，Ｙ，Ａ´，Ｃ´を用いて編成される。
【００４９】
Ｓ２０では、仕切り本体部分３２を編成するに当たり、給糸口２を用いて左方向に向け、ＦＢの編針ｘにタックして、仕切り本体部分３２のコース方向一端部（図３では右端部）を編地本体２０の前側編地部２１に接続する。それから、Ｓ１９において目移ししたＢＢの編針Ｊ〜Ｖで新たな編目を形成するとともに、ＢＢの編針Ｈに掛け目を形成し、増し目を行う。なお、Ｓ１９でＢＢの編針Ｊ，Ｌ，Ｎ，Ｐ，Ｒ，Ｔ，Ｖに目移しせずに、ＦＢの編針ｉ，ｋ，ｍ，ｏ，ｑ，ｓ，ｕで新たな編目を形成してもよい。このような編成を行えば、仕切り本体部分３２にガーター組織を形成できる。
【００５０】
Ｓ２１では、給糸口２を用いて右方向に向け、ＢＢの編針Ｈ，Ｊ，Ｌ，Ｎ，Ｐ，Ｒ，Ｔ，Ｖで新たな編目を形成する。
【００５１】
Ｓ２１において仕切り本体部分３２のコース方向他端部は編地本体２０の後側編地部２２に連結されておらず、ＢＢの編針ＪにもＳ２０と同様に増し目を行い、更に同様の増し目の形成を所定回数（例えば５〜６回）繰り返すことで、編出し部分３１が図１の仮想線（一点鎖線）で示す部位に対し傾斜する。これにより、手袋や靴下では、仕切り編地部３０が手指や足指などの指股にフィットして良好な感触を得ることができる。また、仕切り本体部分３２の編目に続く新たな編目の途中で折り返す編成を行い、編地本体２０の編目を係止した編針にタックせず、仕切り本体部分３２に切り欠き部分を形成してもよい。
【００５２】
図４は、図３の傾斜部分を有する仕切り編地本体部分３２に続く仕切り本体部分３２の編成工程図である。
Ｓ２２では、仕切り本体部分３２を続けて編成するに当たり、給糸口２を用いて左方向に向け、ＦＢの編針ｘにタックして、仕切り本体部分３２のコース方向一端部を編地本体２０の前側編地部２１に接続する。それから、ＢＢの編針Ｖ，Ｔ，Ｒ，Ｐ，Ｎ，Ｌ，Ｊ，Ｈで新たな編目を形成する。
【００５３】
Ｓ２３では、右方向に向け、ＢＢの編針Ｇにタックして、仕切り本体部分３２のコース方向他端部を編地本体２０の後側編地部２２に接続する。それから、ＢＢの編針Ｈ，Ｊ，Ｌ，Ｎ，Ｐ，Ｒ，Ｔ，Ｖで新たな編目を形成する。
【００５４】
Ｓ２２およびＳ２３において仕切り本体部分３２のコース方向両端部を編地本体２０の前側編地部２１および後側編地部２２に接続することで、編地本体２０の筒内部が仕切り編地部３０によって仕切られる。なお、前記実施の形態では、仕切り編地部３０に傾斜を付ける為に、編出し部分３１の一端を編地本体２０に連結していたが、編出し部分３１の両端で連結し、以降仕切り本体部分３２を両端で連結してもよい。また、仕切り本体部分３２は、編地本体２０に対し２コースで１回接続しているが、これに限らず毎コースや４コースに１回等で行ってもよい。
【００５５】
なお、本発明は、前記実施の形態に限定されるものではなく、その他種々の変形例を包含している。例えば、本実施の形態では、編地本体２０の筒内部に一つの仕切り編地部３０を設ける筒状編地１０の編成方法について説明したが、複数の仕切り編地部が設けられていてもよい。
【００５６】
また、前記実施の形態では、２枚ベッドの横編機を用いたが、４枚ベッドの横編機であってもよいのはいうまでもない。
【符号の説明】
【００５７】
ＦＢ    前針床
ＢＢ    後針床
１，２  給糸口
１０    筒状編地
２０    編地本体
２１    前側編地部
２２    後側編地部
３０    仕切り編地部
３１    編出し部分
３２    仕切り本体部分
【図１】
0005875240.tif 000002
【図２】
0005875240.tif 000003
【図３】
0005875240.tif 000004
【図４】
0005875240.tif 000005